(57)【特許請求の範囲】
【請求項１】
ウェーハを支持するサセプタと、
前記サセプタの下面を支持し前記サセプタに回転動力を与えるサセプタサポートと、
を有するウェーハ製造装置において、
前記サセプタの前記サセプタサポートとの当接部は、サセプタ半径方向の縦断面形状が円弧状の面形状を有する凹部をなし、
前記サセプタサポートの前記サセプタとの当接部である前記頭部の先端形状は球面状をなし、
前記頭部の球面の半径は前記凹部の円弧の半径よりも小さく、
前記サセプタの中心が回転中心軸上に自動調芯されることを特徴とするウェーハ製造装置。
【請求項２】
サセプタと、前記サセプタの下面を支持し前記サセプタに回転動力を与えるサセプタサポートと、を有し、
前記サセプタの前記サセプタサポートとの当接部は、サセプタ半径方向の縦断面形状が円弧状の面形状を有する凹部をなし、
前記サセプタサポートの前記サセプタとの当接部である前記頭部の先端形状は球面状をなし、
前記頭部の球面の半径は前記凹部の円弧の半径よりも小さく、
前記サセプタの中心が回転中心軸上に自動調芯され、
前記サセプタによりウェーハを支持することを特徴とするウェーハ支持構造。
【発明の詳細な説明】
【技術分野】
【０００１】
本発明は、ウェーハにエピタキシャル膜を形成するためのウェーハ製造装置に関し、特に、ウェーハを支持するサセプタ及びサセプタを支持するサセプタサポートの構造に関する。
【背景技術】
【０００２】
ウェーハ基板上に同じ結晶方位をもったシリコンの単結晶層を成長させることにより、結晶欠陥がなく、所望の抵抗率を有するシリコンウェーハを製造する技術が知られている。
このシリコンの単結晶層は、例えば直径が２００ｍｍで厚さが０．７５ｍｍのウェーハの場合に数μｍ程度の厚さを有する極薄い層であり、一般的にエピタキシャル膜と呼ばれる。このエピタキシャル膜の成長に用いられるウェーハ製造装置として、シリコンウェーハを１枚ずつ処理する枚葉式と称されるウェーハ製造装置がある（例えば、特許文献１，２参照）。
【０００３】
図１０は枚葉式のウェーハ製造装置を模式的に示した縦断面図である。
この枚葉式のウェーハ製造装置においては、通常、ウェーハＷを１枚だけ水平に支持するサセプタ１（ウェーハ支持台）が処理チャンバ内に設けられている。チャンバ１１は、不図示のベースリングを石英よりなる透光性の窓４ａ，４ｂによって上下から挟んでなり、内部の閉空間は反応炉５となっている。
【０００４】
エピタキシャル膜の成長を行うためには、処理ガス（原料ガス及びキャリアガス）をウェーハＷ上に流し、サセプタ１上で支持されたウェーハＷを１０００〜１２００℃程度の高温に加熱する必要がある。このため、反応炉５を加熱する熱源６，７をチャンバ１１の上下に備えている。
【０００５】
チャンバ１１の左右には開口８，９が形成されており、一方の流入口８から原料ガスおよびキャリアガスが流入し、他方の排出口９から反応後のガスおよびキャリアガスが排出される。
【０００６】
サセプタ１は上方から見ると円板形状をしており、その直径はウェーハＷよりも大きい。サセプタ１の上面にはウェーハＷが収納される円形状のウェーハ収納用凹部１２を設けている。サセプタ１は、ウェーハＷを加熱する際にウェーハ全体の温度を均一に保つ均熱盤としての役割を果たす。
サセプタ１はエピタキシャル膜の成長処理操作の間、ウェーハＷの板面と平行な面内において、鉛直軸を回転中心として回転動を行う。
【０００７】
サセプタ１の下面にはサセプタサポート２が当接し、サセプタ１を支持している。サセプタサポート２はサセプタ支持軸１４の頂上部に設けられている。サセプタ１は、サセプタ１の中心とサセプタ支持軸１４の軸心とが一致するようにサセプタサポート２に載置され、サセプタ支持軸１４の回転によりサセプタ１が左右に揺れることなく安定して回転する。サセプタ支持軸１４への回転は、後述する回転駆動用モータ２８によって与えられる。
サセプタ支持軸１４及びサセプタサポート２は、下部熱源７からの光を遮ることのないよう、高純度の透明な石英によって形成される。
【０００８】
図１０に示すように、サセプタ支持軸１４はブラケット２５に固定されたベアリングユニット２６に垂直に保持され、さらにサセプタ支持軸１４の軸心を中心に回転動自在に支持されている。サセプタ支持軸１４はその軸下部がベアリングユニット２６を貫通して延び出ており、軸下端部にはギヤ２７を固定している。ブラケット２５には回転軸を垂直下方に向けて配置された回転駆動用モータ２８が固定され、この回転駆動用モータ２８の回転軸端部には駆動ギヤ２９を設けている。
【０００９】
駆動ギヤ２９とギヤ２７をわたって円環状のタイミングベルト３０が掛けられており、回転駆動用モータ２８の回転駆動が駆動ギヤ２９からタイミングベルト３０を伝わってギヤ２７に与えられる。ギヤ２７の回転により、サセプタ支持軸１４と共にウェーハＷを収納したサセプタ１が回転する。
【００１０】
図９（Ｂ）はサセプタを上面側から見た平面図、図８（Ａ）はサセプタを下面側から見た底面図を示す。図８（Ａ）に示すように、サセプタ１は真円形状を呈しており、その下面には円環状に設けられた凹溝である環状溝１ａが形成されている。環状溝１ａはサセプタ下面の表面に対して凹んで形成される。
【００１１】
図７（Ａ）はサセプタサポートを上から見た平面図、図７（Ｂ）はサセプタサポートの側面図を示す。図７（Ａ），（Ｂ）に示すようにサセプタサポート２は、中心軸２ａと、３本のアーム部２ｂと、３つの頭部２ｃとを備える。３本のアーム部２ｂはサセプタ１の上方から見たときに３本のアーム部それぞれの成す角度が１２０°になるように中心軸２ａから放射状に延び、各アーム部２ｂの先端には円柱状の頭部２ｃが設けられている。
【００１２】
図９（Ａ）はサセプタをサセプタサポートによって支持した状態を示す側面図、図８（Ｂ）はサセプタ下面の環状溝にサセプタサポートの頭部が係合している様子を示す拡大縦断面図である。図８（Ｂ）に示すように、サセプタサポートの３つの頭部２ｃをサセプタ１の下面に設けられた環状溝１ａに係合させることにより、サセプタ１を３点で水平に支持する。
サセプタサポートの中心軸２ａは、回転駆動用モータ２８からの動力伝達により回転運動するサセプタ支持軸１４の上端に連結されている。
【特許文献１】特開２００３−１３３３９７号公報
【特許文献２】特開２００３−１４２４１２号公報
【発明の開示】
【発明が解決しようとする課題】
【００１３】
上記の如く構成されたウェーハ製造装置にあっては、頭部２ｃの上端面とその上端面と当接する環状溝１ａの底面が互いに水平面であった。
【００１４】
環状溝１ａに頭部２ｃを嵌め込むためには、図８（Ｂ）に示すように環状溝１ａの溝幅Ｈを頭部２ｃの直径Ｄよりも大きく形成する必要がある。そのため、環状溝１ａと頭部２ｃはすき間ばめの状態になっており、サセプタ１の中心と中心軸２ａの中心が水平面内でずれてしまうという問題が生じていた。
【００１５】
このようにサセプタ１と中心軸２ａが偏芯した状態で成膜処理を行うと、図１０に示すサセプタリング３１とサセプタ１との隙間が不均一になるために、ウェーハＷを均一に加熱することが困難になり、エピタキシャル膜の成長過程においてスリップが発生することがある。
【００１６】
また、サセプタ１が偏芯した状態で成膜処理を行うとウェーハが真円に回転することができず、ウェーハＷに対して処理ガスが均一に当たらなかったり、サセプタリング３１とサセプタ１の間に流れ込む処理ガスの流れが不均一になったりして、ウェーハＷ上に形成されるエピタキシャル膜の膜厚の均一性が低くなることがある。
【００１７】
本出願に係る発明は、上記のような問題点を解決するためになされたものであり、その目的とするところは、回転中心とサセプタ中心の水平方向のずれを抑制することができるウェーハ支持構造およびウェーハ製造装置を提供することにある。
【課題を解決するための手段】
【００１８】
上記の目的を達成するため、本出願に係る第１の発明は、ウェーハを支持するサセプタと、前記サセプタの下面を支持し前記サセプタに回転動力を与えるサセプタサポートと、を有するウェーハ製造装置において、前記サセプタの前記サセプタサポートとの当接部、または、前記サセプタサポートの前記サセプタとの当接部の少なくとも一方に、前記サセプタの中心が回転中心軸上に自動調芯されるための面形状を備えていることを特徴とするウェーハ製造装置である。
上記の発明によれば、サセプタサポートの回転中心とサセプタの中心とを同軸上に位置させることができ、エピタキシャル膜の膜厚の均一性を向上させることができる。
【００１９】
また、本出願に係る第２の発明は、サセプタと、前記サセプタの下面を支持し前記サセプタに回転動力を与えるサセプタサポートと、を有し、前記サセプタの前記サセプタサポートとの当接部、または、前記サセプタサポートの前記サセプタとの当接部の少なくとも一方に、前記サセプタの中心が回転中心軸上に自動調芯されるための面形状を備え、前記サセプタによりウェーハを支持することを特徴とするウェーハ支持構造である。
上記の発明によれば、サセプタサポートの回転中心とウェーハの中心とを同軸上に位置させることができ、エピタキシャル膜の膜厚の均一性を向上させることができる。
【発明の効果】
【００２０】
本発明のウェーハ製造装置によれば、回転中心とサセプタ中心の水平方向のずれを抑制することができ、エピタキシャル膜の膜厚の均一性を向上させることができる。
【発明を実施するための最良の形態】
【００２１】
次に、本発明のウェーハ製造装置について、図面を用いて詳細に説明する。
図１（Ａ）は本発明のサセプタサポートの斜視図、図１（Ｂ）はサセプタサポートの縦断面図である。図２（Ａ）はサセプタを上面側から見た平面図、図２（Ｂ）〜（Ｄ）はサセプタとサセプタサポートとの係合関係を示す要部の拡大断面図である。
【００２２】
サセプタ１は、円板状の炭素Ｃの基材に炭化シリコンＳｉＣの被膜を施したものであり、ウェーハＷを加熱する際にウェーハ全体の温度を均一に保つ均熱盤としての役割を果たす。そのため、サセプタ１はウェーハＷよりも数倍の厚さ、すなわち数倍の熱容量を有している。
【００２３】
図２（Ａ）に示すように、サセプタ１は上方から見たときに点Ｑを中心とする真円形状を呈しており、その直径はウェーハＷよりも大きい。サセプタ１の上面には点Ｑを中心とする円形状のウェーハ収納用凹部１２を設けている。ウェーハ収納用凹部１２には成膜処理が施されるウェーハＷが収納される。また、サセプタ１の下面には、サセプタ形状と同心円に形成された円環状の環状溝１ａを有する。環状溝１ａはサセプタ下面の表面に対して凹んで形成される。
【００２４】
サセプタサポート２はサセプタ１の下面を支持してサセプタ１を水平に保持し、サセプタ１を回転駆動させる。サセプタサポート２は、図１０に示すサセプタ支持軸１４に嵌合して動力伝達を受ける中心軸２ａと、図１（Ａ）及び（Ｂ）に示すように中心軸２ａから放射状に延びる３本のアーム部２ｂと、各アーム部２ｂの先端に設けられた頭部２ｃとを備える。３本のアーム部２ｂは互いにその長さが等しく、サセプタ１の上方から見たときに３本のアーム部それぞれの成す角度が１２０°になるように中心軸２ａから放射状に延びる。３つの頭部２ｃは中心軸２ａの中心すなわち回転中心を重心とする正三角形の頂点上に配置される。
【００２５】
サセプタサポート２は、頭部２ｃを環状溝１ａに係合させることによりサセプタ１を３点で水平に支持する。この際、頭部２ｃとサセプタ１の下面との３点の当接部は、正三角形の頂点上に配置されるのが好ましく、更にその正三角形の重心位置（回転中心）がサセプタ中心Ｑと一致することが望ましい。
【００２６】
図１０に示すように、サセプタ１及びサセプタサポート２は処理チャンバ１１内に設けられている。また、サセプタ１上にウェーハＷを搬送するために、ウェーハＷをサセプタ１に対して上下動させるためのリフト機構が設けられている。一般のリフト機構は、サセプタ１を貫通して延びる複数本のリフトピン３６を有しており、これらのリフトピン３６の上端にウェーハＷを載せ、リフトピン３６を上下動させることで、ウェーハＷを昇降させることができるようになっている。このようなリフト機構により、搬送用アームのハンドに載せられてチャンバ１１内に運ばれてきたウェーハＷをサセプタ１上に移載したり、或いはその逆に、ウェーハＷをサセプタ１からハンドに受け渡したりすることが可能となる。リフトピン３６の形状や、リフトピン３６の昇降機構については、従来より種々のものが知られているため、リフトピン３６の昇降機構についての具体的な説明は省略する。
【００２７】
本実施の形態においては、上下の熱源６，７はそれぞれ複数本のハロゲンランプから構成されている。熱源６，７としては赤外線ランプや遠赤外線ランプを使用することができ、チャンバ１１の上下からサセプタ１及びウェーハＷを加熱する。
【００２８】
サセプタサポート２は、エピタキシャル膜の成膜工程において熱源６，７からの輻射熱を遮らないように、透明な材料で形成する必要がある。そのためサセプタサポート２は、高温に加熱される温度環境と処理ガスに対する耐食性が必要であることから石英ガラスが使用される。
【００２９】
エピタキシャル膜の成長を行う間は、処理ガスがウェーハＷに均等に当たるようにするため、サセプタ支持軸１４によりサセプタサポート２を鉛直軸周りに回転させる。これにより、サセプタ１はエピタキシャル膜の成長処理の間、ウェーハＷの板面と平行な面内において、鉛直軸を回転中心として回転動を行う。これと同時にウェーハＷ上に処理ガス（原料ガス及びキャリアガス）を流し、サセプタ１上で支持されたウェーハＷを処理チャンバの上下に配置した多数の加熱用の熱源６，７により１０００〜１２００℃程度の高温に加熱する。
【００３０】
近年の半導体集積回路の高集積化・高機能化と共にデザインルールの微細化が急速に進み、半導体ウェーハに対する要求は更に厳密かつ厳格になってきている。そして、エピタキシャル膜についても、ウェーハＷの表面の平坦度や異物付着の限界サイズなどの要求が非常に厳しいものとなっており、中でも特にエピタキシャル膜の品質項目として平坦度の向上が望まれている。
【００３１】
従来のウェーハ製造装置においては、図８（Ｂ）に示すように頭部２ｃ及び環状溝１ａの縦断面形状はともに、四角い形状であった。環状溝１ａの溝幅Ｈは頭部２ｃの直径Ｄよりも大きく形成されており、また、当接面が互いに水平面であるため、サセプタ１が水平方向で１ｍｍ程度の位置ずれを起こした状態でサセプタサポート２の上に載置される可能性があった。
【００３２】
本発明では、サセプタ１の下面に形成した環状溝１ａの断面形状を、図２（Ｂ）に示すように円弧状に凹陥させている。環状溝１ａはサセプタ中心Ｑを中心とする同心円を描くように形成されている。また、頭部２ｃはサセプタ１との当接面が球面になるように形成されている。頭部２ｃは完全な球体ではなく、サセプタ１との当接部に球体の一部を構成する曲面（球面）を有していれば良い。頭部２ｃの球面の円弧径は、環状溝１ａの円弧径よりも小さく形成する。
【００３３】
サセプタサポート２の上にサセプタ１を載置すると、サセプタ１の自重により頭部２ｃが環状溝１ａの円弧面を滑り、互いの当接点は環状溝１ａの最底点に向かう。３つの頭部２ｃは回転中心を重心とする正三角形の頂点上に設けられているため、サセプタ１はサセプタ中心Ｑがサセプタサポート２の中心すなわち回転中心に一致するように自動調芯される。
【００３４】
図３（Ａ）はウェーハを模式的に示した平面図、図３（Ｂ）は従来のウェーハ製造装置を用いたエピタキシャル成膜後のウェーハの直径方向における膜厚分布のグラフ図、図３（Ｃ）は本発明のウェーハ製造装置を用いたエピタキシャル成膜後のウェーハの直径方向における膜厚分布のグラフ図である。
ウェーハ製造装置によって成膜処理されたウェーハＷについて、図３（Ａ）に示すように、ウェーハ中心Ｏを通る任意の直交２軸（Ｘ，Ｙ）方向におけるエピタキシャル膜の膜厚を調べた。
【００３５】
図３（Ｂ）に示す従来のウェーハ製造装置を用いて成膜処理されたウェーハでは、Ｘの曲線とＹの曲線が中央で大きくクロスしている。このことから、Ｘ方向とＹ方向のような異なる２軸間で膜厚にばらつきがあること、すなわちウェーハの全面において均一にエピタキシャル膜が形成されていないことがわかる。
【００３６】
これに対して、図３（Ｃ）に示す本発明のウェーハ製造装置を用いて成膜処理されたウェーハでは、Ｘの曲線とＹの曲線がほぼ重なっている。このことから、Ｘ方向とＹ方向のような異なる２軸間で膜厚にばらつきが少ないこと、すなわちウェーハの全面において均一にエピタキシャル膜が形成されていることがわかる。
【００３７】
このように本発明のウェーハ製造装置によれば、回転中心とサセプタ中心の水平方向のずれを抑制することができ、その結果、エピタキシャル膜の膜厚の均一性を向上させることができる。
【００３８】
サセプタサポート２を構成する石英は、プロセスガスや洗浄時の薬液により、等方性のエッチング作用を受けることがある。従来のウェーハ製造装置の場合には、エッチング作用により頭部２ｃの直径Ｄ（図８（Ｂ）参照）が小さくなるため、環状溝１ａとの隙間が大きくなり、水平方向のずれが一層大きくなることがあった。
【００３９】
図２（Ｄ）は本発明のサセプタサポート２の頭部２ｃが、等方性のエッチング作用を受けた状態を示す。図示の通り、本発明の頭部２ｃにおいては等方性のエッチング作用を受けた場合であっても、頭部２ｃは球面形状を維持する。そのため、サセプタサポート２の上にサセプタ１を載置すると、サセプタ１の自重により頭部２ｃが環状溝１ａの円弧面を滑り、互いの当接点は環状溝１ａの最底点に向かう。３つの頭部２ｃは回転中心を重心とする正三角形の頂点上に設けられているため、サセプタ１はサセプタ中心Ｑがサセプタサポート２の中心すなわち回転中心に一致するように自動調芯される。
このように、本発明によれば、プロセスガスや洗浄時の薬液によるエッチング作用の不具合も回避することができる。
【００４０】
図２（Ｂ）では環状溝１ａの断面形状を円弧状に形成した例を示したが、環状溝１ａの形状はこれに限られるものではない。例えば、図２（Ｃ）に示すようにサセプタ１の下面に従来と同様に断面四角形状の環状溝１ａを形成し、その環状溝１ａの底面のみを円弧状に凹陥させても良い。この場合でもサセプタサポート２の上にサセプタ１を載置すると、サセプタ１の自重により頭部２ｃが環状溝１ａの底面を滑り、サセプタ１はサセプタ中心Ｑがサセプタサポート２の中心すなわち回転中心に一致するように自動調芯される。
【００４１】
上記の実施例では、サセプタ１の下面に形成された環状溝１ａの断面形状を円弧状に凹陥させたものを開示したが、例えば図４（Ｂ）に示すように環状溝１ａ若しくは環状溝１ａの底面を断面Ｖ字状に凹陥させたものでも良い。この場合、頭部２ｃの上端面は球面になるように形成する。
【００４２】
サセプタサポート２の上にサセプタ１を載置すると、サセプタ１の自重により頭部２ｃが環状溝１ａのＶ字壁面を滑り、互いの当接点は環状溝１ａの最底点に向かう。３つの頭部２ｃは回転中心を重心とする正三角形の頂点上に設けられているため、サセプタ１はサセプタ中心Ｑがサセプタサポート２の中心すなわち回転中心に一致するように自動調芯される。
【００４３】
また、図５（Ｂ）に示すように、環状溝１ａの少なくとも一方の側壁をテーパ面に形成しても良い。図示の例は外側の側壁をテーパ面に形成しているが、内側の側壁をテーパ面に形成しても良い。または外側及び内側の両方の側壁をテーパ面に形成しても良い。頭部２ｃの先端は上記各実施例で示した様に球面でも良いが、より一層厳密な調整を図るために環状溝１ａのテーパ面と相補的な斜面としても良い。
【００４４】
サセプタサポート２の上にサセプタ１を載置すると、サセプタ１の自重により頭部２ｃが環状溝１ａのテーパ面を滑り、サセプタ１はサセプタ中心Ｑがサセプタサポート２の中心すなわち回転中心に一致するように自動調芯される。
【００４５】
上述の通り環状溝１ａの断面形状は種々のものが考えられる。環状溝１ａの底壁若しくは側壁を、断面円弧状，断面Ｖ字状，片側傾斜といった形状にした場合には、頭部２ｃの先端形状が従来技術で説明した円柱状であっても、サセプタ中心Ｑが回転中心に一致するように自動調芯される。しかしながら、頭部２ｃを上述した球面若しくは断面三角形状とすることで、より一層自動調芯効果を発揮させることができる。
【００４６】
また、頭部２ｃの形状も種々のものが考えられる。例えば図６（Ａ）に示すように頭部２ｃの先端形状を円錐状に形成したり、図６（Ｂ）に示すように頭部２ｃの先端形状を截頭円錐状に形成したりしても同様の効果を奏することができる。もちろん、図６（Ｃ）に示すように円柱に一斜面を設けたり、テーパ面を設けたりしても良い。図６（Ｃ）に示すように頭部２ｃに斜面若しくはテーパ面を設けた場合には、環状溝１ａの断面形状が従来技術で説明した四角形状であっても、サセプタ中心Ｑが回転中心に一致するように自動調芯される。
【００４７】
このように、自動調芯させるための構造や仕組みは環状溝および頭部の両方に設けても、環状溝もしくは頭部の何れか一方のみに設けても良い。
【００４８】
環状溝１ａは常に円形に設ける必要はなく、頭部２ｃの位置に対応させて部分的に円弧状の溝を設けても良い。また、サセプタサポート２の頭部２ｃは３つ以上であれば良く、４つの頭部を正四角形の頂点上に配置したり、５つの頭部を正五角形の頂点上に配置したりしても良い。
【００４９】
すなわち本発明は、ウェーハＷを支持するサセプタ１と、サセプタ１の下面を支持しサセプタ１に回転動力を与えるサセプタサポート２とを有するウェーハ製造装置において、サセプタ１のサセプタサポート２との当接部またはサセプタサポート２のサセプタ１との当接部の少なくとも一方に、サセプタ１の中心が回転中心軸上に自動調芯されるための面形状を備えていることを特徴とする。本発明のウェーハ製造装置によれば、回転中心とサセプタ中心の水平方向のずれを抑制することができ、エピタキシャル膜の膜厚の均一性を向上させることができる。
【図面の簡単な説明】
【００５０】
【図１】図１（Ａ）はサセプタサポートの斜視図、図１（Ｂ）はサセプタサポートの縦断面図である。
【図２】図２（Ａ）はサセプタの平面図、図２（Ｂ）〜（Ｄ）はサセプタサポートとサセプタの係合部を模式的に示した縦断面図である。
【図３】図３（Ａ）はウェーハの模式図、図３（Ｂ）は従来のウェーハ製造装置を用いたエピタキシャル成膜後のウェーハの直径方向における膜厚分布のグラフ図、図３（Ｃ）は本発明のウェーハ製造装置を用いたエピタキシャル成膜後のウェーハの直径方向における膜厚分布のグラフ図である。
【図４】図４（Ａ）はサセプタの平面図、図４（Ｂ）はサセプタサポートとサセプタの係合部を模式的に示した縦断面図である。
【図５】図５（Ａ）はサセプタの平面図、図５（Ｂ）はサセプタサポートとサセプタの係合状態を模式的に示した側面図である。
【図６】図６（Ａ）は頭部を円錐状とした説明図、図６（Ｂ）は頭部を截頭円錐状とした説明図、図６（Ｃ）は頭部を傾斜切断面とした説明図である。
【図７】図７（Ａ）は従来のサセプタサポートの平面図、図７（Ｂ）は従来のサセプタサポートの縦断面図である。
【図８】図８（Ａ）は従来のサセプタの底面図、図８（Ｂ）はサセプタサポートとサセプタの係合部を模式的に示した縦断面図である。
【図９】図９（Ａ）は従来のサセプタサポートとサセプタの係合状態を模式的に示した側面図、図９（Ｂ）は従来のサセプタの平面図である。
【図１０】ウェーハ製造装置の全体構造を示す概略図である。
【符号の説明】
【００５１】
１…サセプタ  １ａ…環状溝
２…サセプタサポート  ２ａ…中心軸  ２ｂ…アーム部  ２ｃ…頭部（先端頭部）
４ａ…窓  ４ｂ…窓
５…反応炉
６…上部熱源
７…下部熱源
８…流入口
９…排出口
１１…チャンバ
１２…ウェーハ収納用凹部
１４…サセプタ支持軸
２５…ブラケット
２６…ベアリングユニット
２７…ギヤ
２８…回転駆動用モータ
２９…駆動ギヤ
３０…タイミングベルト
３１…サセプタリング
３６…リフトピン
Ｏ…ウェーハ中心
Ｑ…サセプタ中心
Ｗ…ウェーハ。
【図１】
0004575262.tif 000002
【図２】
0004575262.tif 000003
【図３】
0004575262.tif 000004
【図４】
0004575262.tif 000005
【図５】
0004575262.tif 000006
【図６】
0004575262.tif 000007
【図７】
0004575262.tif 000008
【図８】
0004575262.tif 000009
【図９】
0004575262.tif 000010
【図１０】
0004575262.tif 000011